(57)【特許請求の範囲】
【請求項１】
ＣＤＭＡ（Ｃｏｄｅ  Ｄｉｖｉｓｉｏｎ  ＭｕｌｔｉｐｌｅＡｃｃｅｓｓ）におけるレート整合方法であって、
（ａ）  前記ＣＤＭＡの通信で使用される回線の品質を示す回線品質情報を求めるステップと、
（ｂ）  特定トランスポートチャネルの上位レイヤにおいて送受する前記特定トランスポートチャネルの再送情報に基づいて再送回数を求めるステップと、
（ｃ）  前記回線品質情報および前記再送回数に基づいて、レートマッチング属性値を設定するステップと、
（ｄ）  前記特定トランスポートチャネルを含む複数のトランスポートチャネルのそれぞれのデータに対して、前記レートマッチング属性値を用いてレートマッチングするステップと
を備え、
前記（ｃ）は、前記回線の品質が低いとき、および／または前記再送回数が多いときには、前記（ｄ）で行われる前記レートマッチングにおいて、前記特定トランスポートチャネルの伝送品質が向上するように前記レートマッチング属性値を設定する
ＣＤＭＡにおけるレートマッチング方法。
【請求項２】
請求項１に記載のＣＤＭＡにおけるレートマッチング方法において、
前記（ｃ）は、前記回線の品質が低いとき、および／または前記再送回数が多いときには、前記（ｄ）で行われる前記特定トランスポートチャネルの前記レートマッチングにおいて、リピティション（Ｒｅｐｅｔｉｔｉｏｎ）が行われる可能性が高まるように前記レートマッチング属性値を設定する
ＣＤＭＡにおけるレートマッチング方法。
【請求項３】
請求項１または請求項２に記載のＣＤＭＡにおけるレートマッチング方法において、
前記（ｃ）は、前記回線の品質が低いとき、および／または前記再送回数が多いときには、前記（ｄ）の前記レートマッチングにおいて、前記特定トランスポートチャネルのデータのリピティション（Ｒｅｐｅｔｉｔｉｏｎ）の量が大きくなるように、前記特定トランスポートチャネルの前記レートマッチング属性値と前記特定トランスポートチャネル以外のトランスポートチャネルの前記レートマッチング属性値とを異なる値に設定する
ＣＤＭＡにおけるレートマッチング方法。
【請求項４】
請求項１から請求項３のいずれか１項に記載のＣＤＭＡにおけるレートマッチング方法において、
前記（ｃ）は、ＴＴＩ（Ｔｒａｎｓｍｉｓｓｉｏｎ  Ｔｉｍｅ  Ｉｎｔｅｒｖａｌ）毎に行う
ＣＤＭＡにおけるレートマッチング方法。
【請求項５】
請求項１から請求項４のいずれか１項に記載のＣＤＭＡにおけるレートマッチング方法において、
前記（ｃ）は、前記回線品質情報としての基地局の受信回線品質を示す情報を閉ループ制御することにより前記レートマッチング属性値を設定する
ＣＤＭＡにおけるレートマッチング方法。
【請求項６】
請求項１から請求項５のいずれか１項に記載のＣＤＭＡにおけるレートマッチング方法において、
前記特定トランスポートチャネルは、制御チャネルである
ＣＤＭＡにおけるレートマッチング方法。
【請求項７】
請求項１から請求項６のいずれか１項に記載のＣＤＭＡにおけるレートマッチング方法において、
更に、
（ｅ）  前記レートマッチング属性値に基づいて、ＤＰＤＣＨ（Ｄｅｄｉｃａｔｅｄ  Ｐｈｙｓｉｃａｌ  Ｄａｔａ  Ｃｈａｎｎｅｌ）のシンボルレートを変更するステップ
を備えたＣＤＭＡにおけるレートマッチング方法。
【請求項８】
請求項１から請求項７のいずれか１項に記載のＣＤＭＡにおけるレートマッチング方法において、
前記（ａ）は、受信データのパイロット部から受信ＳＩＲを測定して前記回線品質情報を求めるステップを含む
ＣＤＭＡにおけるレートマッチング方法。
【請求項９】
ＣＤＭＡ（Ｃｏｄｅ  Ｄｉｖｉｓｉｏｎ  ＭｕｌｔｉｐｌｅＡｃｃｅｓｓ）端末であって、
前記ＣＤＭＡの通信で使用される回線の品質を示す回線品質情報を求める回線品質情報検出部と、
特定トランスポートチャネルの上位レイヤにおいて送受する前記特定トランスポートチャネルの再送回数を示す再送情報および前記回線品質情報に基づいて、レートマッチング属性値を設定するレートマッチング属性値設定部と、
前記特定トランスポートチャネルを含む複数のトランスポートチャネルのそれぞれのデータに対して、前記レートマッチング属性値を用いてレートマッチングするレートマッチング部と
を備え、
前記レートマッチング属性値設定部は、前記回線の品質が低いとき、および／または前記再送回数が多いときには、前記レートマッチング部で行われる前記レートマッチングにおいて、前記特定トランスポートチャネルの伝送品質が向上するように前記レートマッチング属性値を設定する
ＣＤＭＡ端末。
【発明の詳細な説明】
【０００１】
【発明の属する技術分野】
本発明は、ＣＤＭＡにおけるレートマッチング方法およびＣＤＭＡ端末に関する。
【０００２】
【従来の技術】
特開２００１−１６０９８８公報には、複合チャネルに含まれる少なくとも２つのトランスポートチャネルの間でレートマッチングを行う技術が記載されている。いわゆる第３世代のＣＤＭＡ無線通信システムでは、サービス品質（Ｑｏｓ）に関して同じ要件を有しない無線インターフェース・サービスで、効率的に多重化することが行われる。サービス品質のそのような差異は、特に、異なったチャネル符号化及びインタリーブを有するそれぞれのトランスポートチャネルを使用することを意味し、更に、各々のトランスポートチャネルについて異なったビット誤り率（ＢＥＲ）を必要とする。
【０００３】
各々のサービスによって発生する干渉を制限するために、異なったサービスの間でＥｂ／Ｉ比をバランスさせることが必要である。そのバランシングは、異なったサービスをトランスポートしている符号化トランスポートチャネルのレートマッチングによって伝送時に行われる。
【０００４】
レートマッチングは、シンボルの反復（１より大きいレートマッチング比）、又はシンボルのパンクチャリング（１より小さいレートマッチング比）から構成される。
【０００５】
ＩＳＯ（国際標準化機構）のＯＳＩ（開放型システム間相互接続）モデルでは、電気通信装置は、プロトコルスタックを構成するレイヤ・モデルによってモデル化される。その場合、各々のレイヤは、より高いレベルのレイヤヘサービスを与えるプロトコルである。第３世代パートナーシッププロジェクト委員会では、レベル１レイヤによってレベル２レイヤへ与えられるサービスは、「トランスポートチャネル」と呼ばれる。従って、トランスポートチャネルは、同じ装置のレベル１レイヤとレベル２レイヤとの間のデータ・フローとして理解される。トランスポートチャネル（ＴｒＣＨ）によって、レベル２レイヤは、或るサービス品質でデータを転送することができる。このサービス品質は、使用されるチャネル符号化とインターリービングに依存する。更に、トランスポートチャネルは、無線リンクを介して接続された２つの別個の装置の２つのレベル２レイヤの間のデータ・フローとして理解することができる。
【０００６】
それ自身のサービス品質を有する各々のトランスポートチャネルのために、より高いレベルのレイヤは、レベル１のレイヤにトランスポートブロックを周期的に与える。トランスポート・ブロック集合がトランスポートチャネルへ与えられる周期的な時間インターバルは、ＴＴＩ（Ｔｒａｎｓｍｉｓｓｉｏｎ  ＴｉｍｅＩｎｔｅｒｖａｌ）と呼ばれる。各々のトランスポートチャネルは、それ自身のＴＴＩを有する。ＴＴＩは、１０，２０，４０，又は８０ｍｓｅｃであることができる。ＴＴＩは、無線フレームの接続時間に対応する１０ｍｓｅｃの乗算値である。
【０００７】
前述の特開２００１−１６０９８８公報には、以下の方法が記載されている。複合チャネルに含まれる少なくとも２つのトランスポートチャネルの間でレートマッチングを行う方法であって、前記方法は、各々のトランスポートチャネル（ｉ）に対する少なくとも１つのレートマッチング・ステップを含み、レートマッチング比（ＲＦｉ）が、各々のトランスポートチャネル（ｉ）へ適用され、前記レートマッチング比（ＲＦｉ）は、前記トランスポートチャネル（ｉ）に特定されたレートマッチング・ファクタ（ＲＭｉ）とスケール・ファクタ（ＬＦ）との積に等しく、前記スケール・ファクタ（ＬＦ）は、前記複合チャネルの前記トランスポートチャネルの集合に共通であり、前記トランスポートチャネルの各々は、少なくとも１つの関連づけられた伝送インターバル（ＴＴＩ）で伝送され、前記伝送時間インターバル（ＴＴＩ）の各々は、前記トランスポートチャネルの各々（ｉ）に特定された持続時間（Ｆｉ）を有し、前記トランスポートチャネルの少なくとも２つは、異なった持続時間を有する伝送時間インターバル（ＴＴＩ）を有し、前記方法は、前記複合チャネルのために、トランスポートチャネルのそれぞれの伝送時間インターバル（ＴＴＩ）の持続時間の下降順序で配列された少なくとも２つのトランスポートチャネルのリストを定義し、トランスポートチャネルの前記配列リストは、少なくとも１つの関連づけられた伝送時間インターバル（ＴＴＩ）でトランスポートしていない少なくとも１つのトランスポートチャネルを含むことができ、前記複合チャネルのために、トランスポートチャネルの前記配列リストについて少なくとも２つのいわゆるグローバル・インターバルを決定し、前記決定されたグローバル・インターバルは、時間的に相互に続いており、前記決定されたグローバル・インターバルの各々は、伝送時間インターバル（ＴＴＩ）でデータを搬送している前記配列リストの第１のトランスポートチャネルに関連づけられた伝送時間インターバル（ＴＴＩ）に対応するか、又は前記配列リストのトランスポートチャネルのいかなるものもデータをトランスポートしていない場合には、最小の伝送時間インターバルに対応し、スケール・ファクタ（ＬＦ）を、各々の決定されたグローバル・インターバルへ割り当て、前記スケール・ファクタは、各々の決定されたグローバル・インターバルの持続時間の間一定であり、少なくとも２つの割り当てられたスケール・ファクタは、少なくとも２つのグローバル・インターバルで異なった値を有する連続ステップを含むことを特徴としている。
【０００８】
特開２００１−２８５２５３公報には、複合チャネル内に含まれた少なくとも２つのトランスポートチャネルをマッチングするための以下の方法が記載されている。トランスポートチャネルの各々は、少なくとも１つのデータシンボル（ｓ）を伝送する。この発明に従って、伝送されるシンボル（ｓ）の各々は、前述のシンボル（ｓ）がそこから発生するトランスポートチャネル（ｉ）に特定の利得（Ｇｉ）によって増幅され、これにより複合チャネル上の異なったトランスポートチャネル間のＥｂ／Ｉ比率のバランスをとる。第３世代移動体電気通信システムの分野に適用される。
【０００９】
特開２００１−５７５２１公報には、次の通信システムのためのレートマッチングさせる方法が記載されている。通信システムのレートマッチング方法において、インタリーブされたデータビットのマトリクスにおけるデータビット・レートを、簡単な方法で所望のレートに整合させる技術である。即ち、所望のデータレートを提供するために削除または反復すべきビットのパターンを、インタリーブされていないデータビットのマトリクスにおいて求めるステップと、インターリービング処理とは反対の方法で該パターンのそれぞれのビットのアドレスを復号し、インタリーブされたデータビットのマトリクスにおけるビットのそれぞれのアドレスを生成するステップと、該それぞれのアドレスに従ってインタリーブされたデータビットのそれぞれのビットを削除または反復するステップとを含む。
【００１０】
【発明が解決しようとする課題】
特に制御チャネルでＣＲＣ（Ｃｙｃｌｉｃ  Ｒｅｄｕｎｄａｎｃｙ  Ｃｈｅｃｋ）  ＮＧ等の伝送誤り等が発生した場合、再送処理が起こったりして制御信号の遅延が発生することがある。そのため、制御チャネル等の特定チャネルの伝送品質を向上させる必要がある。
【００１１】
制御チャネル等の特定チャネルの伝送品質を向上させることのできるＣＤＭＡにおけるレートマッチング方法およびＣＤＭＡ端末が望まれている。
【００１２】
本発明の目的は、制御チャネル等の特定チャネルの伝送品質を向上させることのできるＣＤＭＡにおけるレートマッチング方法およびＣＤＭＡ端末を提供することである。
【００１３】
【課題を解決するための手段】
以下に、［発明の実施の形態］で使用する番号・符号を用いて、［課題を解決するための手段］を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１４】
本発明のＣＤＭＡ（Ｃｏｄｅ  Ｄｉｖｉｓｉｏｎ  Ｍｕｌｔｉｐｌｅ  Ａｃｃｅｓｓ）におけるレート整合方法は、（ａ）  前記ＣＤＭＡの通信で使用される回線の品質を示す回線品質情報を求めるステップと、（ｂ）  特定トランスポートチャネルの上位レイヤにおいて送受する前記特定トランスポートチャネルの再送情報に基づいて再送回数を求めるステップと、（ｃ）  前記回線品質情報および前記再送回数に基づいて、レートマッチング属性値を設定するステップと、（ｄ）  前記特定トランスポートチャネルを含む複数のトランスポートチャネルのそれぞれのデータに対して、前記レートマッチング属性値を用いてレートマッチングするステップとを備える。前記（ｃ）は、前記回線の品質が低いとき、および／または前記再送回数が多いときには、前記（ｄ）で行われる前記レートマッチングにおいて、前記特定トランスポートチャネルの伝送品質が向上するように前記レートマッチング属性値を設定するものである。
【００１５】
本発明のＣＤＭＡにおけるレートマッチング方法において、前記（ｃ）は、前記回線の品質が低いとき、および／または前記再送回数が多いときには、前記（ｄ）で行われる前記特定トランスポートチャネルの前記レートマッチングにおいて、リピティション（Ｒｅｐｅｔｉｔｉｏｎ）が行われる可能性が高まるように前記レートマッチング属性値を設定するものである。
【００１６】
本発明のＣＤＭＡにおけるレートマッチング方法において、前記（ｃ）は、前記回線の品質が低いとき、および／または前記再送回数が多いときには、前記（ｄ）の前記レートマッチングにおいて、前記特定トランスポートチャネルのデータのリピティション（Ｒｅｐｅｔｉｔｉｏｎ）の量が大きくなるように、前記特定トランスポートチャネルの前記レートマッチング属性値と前記特定トランスポートチャネル以外のトランスポートチャネルの前記レートマッチング属性値とを異なる値に設定する。
【００１７】
本発明のＣＤＭＡにおけるレートマッチング方法において、前記（ｃ）は、ＴＴＩ（Ｔｒａｎｓｍｉｓｓｉｏｎ  Ｔｉｍｅ  Ｉｎｔｅｒｖａｌ）毎に行う。
【００１８】
本発明のＣＤＭＡにおけるレートマッチング方法において、前記（ｃ）は、前記回線品質情報としての基地局の受信回線品質を示す情報を閉ループ制御することにより前記レートマッチング属性値を設定する。
【００１９】
本発明のＣＤＭＡにおけるレートマッチング方法において、前記特定トランスポートチャネルは、制御チャネルである。
【００２０】
本発明のＣＤＭＡにおけるレートマッチング方法において、更に、（ｅ）  前記レートマッチング属性値に基づいて、ＤＰＤＣＨ（Ｄｅｄｉｃａｔｅｄ  Ｐｈｙｓｉｃａｌ  Ｄａｔａ  Ｃｈａｎｎｅｌ）のシンボルレートを変更するステップを備えている。
【００２１】
本発明のＣＤＭＡにおけるレートマッチング方法において、前記（ａ）は、受信データのパイロット部から受信ＳＩＲを測定して前記回線品質情報を求めるステップを含む。
【００２２】
本発明のＣＤＭＡ端末は、ＣＤＭＡ（Ｃｏｄｅ  Ｄｉｖｉｓｉｏｎ  Ｍｕｌｔｉｐｌｅ  Ａｃｃｅｓｓ）端末であって、前記ＣＤＭＡの通信で使用される回線の品質を示す回線品質情報を求める回線品質情報検出部（２１）と、特定トランスポートチャネルの上位レイヤにおいて送受する前記特定トランスポートチャネルの再送回数を示す再送情報および前記回線品質情報に基づいて、レートマッチング属性値を設定するレートマッチング属性値設定部（１２）と、特定トランスポートチャネルを含む複数のトランスポートチャネルのそれぞれのデータに対して、前記レートマッチング属性値を用いてレートマッチングするレートマッチング部（１３−１〜１３−Ｉ）とを備え、前記レートマッチング属性値設定部（１２）は、前記回線の品質が低いとき、および／または前記再送回数が多いときには、前記レートマッチング部（１３−１〜１３−Ｉ）で行われる前記レートマッチングにおいて、前記特定トランスポートチャネルの伝送品質が向上するように前記レートマッチング属性値を設定する。
【００２３】
本発明は、ＣＤＭＡ（Ｃｏｄｅ  Ｄｉｖｉｓｉｏｎ  Ｍｕｌｔｉｐｌｅ  Ａｃｃｅｓｓ）におけるレートマッチング処理で複数ＴｒＣＨ（Ｔｒａｎｓｐｏｒｔｃｈａｎｎｅｌ）の多重で使用されるＲＭ（Ｒａｔｅ  Ｍａｔｃｈｉｎｇ）ａｔｔｒｉｂｕｔｅ値を制御チャネル等の特定ＴｒＣＨの特性を向上させるために、それぞれのＴｒＣＨのＴＴＩ（Ｔｒａｎｓｍｉｓｓｉｏｎ  Ｔｉｍｅ  Ｉｎｔｅｒｖａｌ）毎に変更して使用することを特徴としている。
【００２４】
本発明は、さらにそのＲＭ属性値を決定するために回線品質による閉ループ制御を行うことにより適応的に制御することを特徴としている。
【００２５】
端末送信側では、特定ＴｒＣＨ判定部（１１）は、制御チャネル等が多重されているかを判定する。
ＲＭ属性決定部（１２）は、基地局の受信回線品質を示す回線品質情報をクローズドループ制御することにより使用するＲＭ属性値を決定し、それぞれのトランスポートチャネル（＃１〜＃Ｉ）のレートマッチング部（１３−１〜１３−Ｉ）に分配する。レートマッチング部（１３−１〜１３−Ｉ）は、それぞれのＲＭ属性値を使用しレートマッチングする。
【００２６】
また制御チャネル等のＴｒＣＨの上位レイヤに制御チャネルの再送情報を含ませておき、その情報を考慮して各ＴｒＣＨのＲＭ属性値を決定することもできる。
【００２７】
その後、トランスポートチャネル＃１〜＃Ｉ毎にインタリーブし（１４−１〜１４−Ｉ）、それぞれのＴｒＣＨの多重化（Ｍｕｌｔｉｐｌｅｘ）を行い（１５）、ＤＰＤＣＨ（Ｄｅｄｉｃａｔｅｄ  Ｐｈｙｓｉｃａｌ  Ｄａｔａ  Ｃｈａｎｎｅｌ）の物理チャネルにマッピングし（１６）、拡散し送信する（１７）という構成になっている。
【００２８】
どのＲＭ  ａｔｔｒｉｂｕｔｅを使用したかの情報はＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）多重部（１８）で、あるフレームでの各ＴｒＣＨの多重情報を示すＴＦＣ（Ｔｒａｎｓｐｏｒｔ  Ｆｏｒｍａｔ  Ｃｏｍｂｉｎａｔｉｏｎ）をＴＦＣＩ情報としてＤＰＣＣＨ（Ｄｅｄｉｃａｔｅｄ  Ｐｈｙｓｉｃａｌ  Ｃｏｎｔｒｏｌ  Ｃｈａｎｎｅｌ）に多重し送信される（１９）。
【００２９】
基地局受信側では、逆拡散後（３１）、ＤＰＤＣＨ（Ｄｅｄｉｃａｔｅｄ  Ｐｈｙｓｉｃａｌ  Ｄａｔａ  Ｃｈａｎｎｅｌ）をデマッピングし（３２）、それぞれのＴｒＣＨ毎に多重分離（Ｄｅｍｕｌｔｉｐｌｅｘ）した後（３３）、トランスポートチャネル＃１〜＃Ｉ毎にデインタリーブされる（３４−１〜３４−Ｉ）。
【００３０】
その後、トランスポートチャネル＃１〜＃Ｉのレートデマッチング部（３５−１〜３５−Ｉ）でＲＭ  ａｔｔｒｉｂｕｔｅ判定部（３６）で判定されたＲＭ属性値を使用してレートデマッチングする。
【００３１】
ＲＭ  ａｔｔｒｉｂｕｔｅ判定部（３６）では、ＴＦＣＩ抽出部（３７）で受信したＤＰＣＣＨ部のＴＦＣＩ情報を検出し、送信側で使用したＲＭ属性値を判定している。
【００３２】
また、受信ＤＰＣＣＨのＰｉｌｏｔ部で測定した受信ＳＩＲ等の回線品質の情報を回線品質情報としてＤＰＣＣＨに多重して送信している（３９、４０）。
【００３３】
【発明の実施の形態】
添付図面を参照して、本発明のＣＤＭＡにおけるレート整合方法の一実施形態を説明する。
【００３４】
ＣＤＭＡでは、特に複数ＴｒＣＨ（Ｔｒａｎｓｐｏｒｔ  ｃｈａｎｎｅｌ）の多重時のレートマッチングで使用するＲＭ（Ｒａｔｅ  Ｍａｔｃｈｉｎｇ）属性値をＴｒＣＨ毎に変更することによって、各ＴｒＣＨでのレートマッチングの比率を変更することができる。したがって、そのＲＭ属性値を回線品質または制御チャネル等の再送状態等によって、制御チャネル等の特定チャネルのＲＭ属性値を大きくなるようにＴＴＩ（Ｔｒａｎｓｍｉｓｓｉｏｎ  Ｔｉｍｅ  Ｉｎｔｅｒｖａｌ）毎に制御することによって、制御チャネル等の特定チャネルの伝送品質を向上することができる。
【００３５】
図１および図２を参照すると、本発明の一実施形態としてのブロック図が示されている。図１は、ＣＤＭＡシステムの端末側送受信部の概略構成を示すブロック図である。図２は、ＣＤＭＡシステムの基地局側送受信部の概略構成を示すブロック図である。
【００３６】
図１に示すように、基地局と送受信を行う端末の端末側送受信部１０の送信部には、複数のトランスポートチャネル＃１…＃Ｉのそれぞれに、ＣＲＣ（Ｃｙｃｌｉｃ  Ｒｅｄｕｎｄａｎｃｙ  Ｃｈｅｃｋ）付加部８−１〜８−Ｉが設けられている。ＣＲＣ付加部８−１〜８−ＩはＣＲＣを付加することにより情報データを符号化する。
【００３７】
ＣＲＣ付加部８−１〜８−Ｉの出力側には、複数のトランスポートチャネル＃１…＃Ｉのそれぞれに対応して、チャネル符号化（Ｃｈａｎｎｅｌ  ｃｏｄｉｎｇ）部９−１〜９−Ｉが接続されている。チャネル符号化部９−１〜９−Ｉは、符号化された情報データを畳み込み符号又はターボ（Ｔｕｒｂｏ）符号等によりチャネル符号化する。
【００３８】
チャネル符号化部９−１〜９−Ｉの出力側には、複数のトランスポートチャネル＃１…＃Ｉのそれぞれに対応して、レートマッチング（Ｒａｔｅ  Ｍａｔｃｈｉｎｇ）部１３−１〜１３−Ｉが接続されている。レートマッチング部１３−１〜１３−Ｉは、チャネル符号化されたデータをそれぞれ入力し、入力された情報データ列のリピティション（Ｒｅｐｅｔｉｔｉｏｎ）又はパンクチャリング（Ｐｕｎｃｔｕｒｉｎｇ）によるレートマッチングを行う。レートマッチングにより、符号化率を可変にし、無線区間に伝送できるビット数に調節する。
【００３９】
レートマッチング部１３−１〜１３−Ｉの出力側には、複数のトランスポートチャネル＃１…＃Ｉのそれぞれに対応して、インタリーブ（Ｉｎｔｅｒｌｅａｖｅ）部１４−１〜１４−Ｉがそれぞれ接続されている。インタリーブ部１４−１〜１４−Ｉは、レートマッチングされた上記情報データをそれぞれ入力し、入力した上記情報データのビットを異なるインタリーブパターンで入れ替えるインタリーブによりバースト誤りに対する耐性を上げる。
【００４０】
インタリーブ部１４−１〜１４−Ｉの出力側には、トランスポートチャネル多重化（ＴｒＣＨ  Ｍｕｌｔｉｐｌｅｘ）部１５が接続されている。トランスポートチャネル多重化部１５は、複数のトランスポートチャネル＃１…＃Ｉの多重化を行う。
【００４１】
トランスポートチャネル多重化部１５の出力側には、マッピング（Ｐｈｙｓｉｃａｌ  Ｃｈａｎｎｅｌ  Ｍａｐｐｉｎｇ）部１６が接続されている。マッピング部１６は、多重化された上記情報データを入力し、入力した上記情報データを所定のフォーマットでＤＰＤＣＨ（Ｄｅｄｉｃａｔｅｄ  Ｐｈｙｓｉｃａｌ  Ｄａｔａ  Ｃｈａｎｎｅｌ）の物理チャネルにマッピングする。
【００４２】
マッピング部１６の出力側には、拡散処理部１７が接続されている。拡散処理部１７は、拡散コードを有し、マッピング部１６から出力されたデータを入力し、入力したデータを拡散コードで拡散処理して送信する。
【００４３】
特定トランスポートチャネル（Ｔｒａｎｓｐｏｒｔ  ｃｈａｎｎｅｌ）判定部１１は、ＣＲＣ付加部８−１〜８−Ｉに入力されるデータを入力して、制御チャネル等の特定トランスポートチャネルが多重されているかを判定する。その判定結果は、ＲＭ属性（ａｔｔｒｉｂｕｔｅ）決定部１２に送られる。
【００４４】
ＲＭ属性決定部１２は、回線品質情報抽出部２１から出力された、基地局の受信回線品質を示す回線品質情報をクローズドループ制御することにより、レートマッチング部１３−１〜１３−Ｉでのレートマッチングで使用するＲＭ属性（ＲＭ  ａｔｔｒｉｂｕｔｅ）値を決定する。その決定されたＲＭ属性値は、それぞれレートマッチング部１３−１〜１３−Ｉに送られる。また、その決定されたＲＭ属性値は、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）多重部１８に送られる。
【００４５】
また、ＲＭ属性決定部１２は、制御チャネル等の特定トランスポートチャネルの上位レイヤに制御チャネルの再送情報を含ませておき、その情報を考慮して各トランスポートチャネル＃１…＃ＩのＲＭ属性値を決定することもできる。
【００４６】
端末側送受信部１０の上記構成により、その動作の概略は以下の通りとなる。
【００４７】
トランスポートチャネル＃１…＃Ｉ毎のデータは、トランスポートチャネル＃１〜＃Ｉ毎にＣＲＣ（Ｃｙｃｌｉｃ  Ｒｅｄｕｎｄａｎｃｙ  Ｃｈｅｃｋ）を付加された後（符号８参照）、チャネル符号化部９−１〜９−Ｉで畳み込み符号化またはＴｕｒｂｏ符号化される。
【００４８】
その後、それぞれのトランスポートチャネル＃１〜＃Ｉのレートマッチング部１３−１〜１３−Ｉは、ＲＭ属性決定部１２で決定されたＲＭ属性値を使用してレートマッチングする。
【００４９】
また、ＤＰＤＣＨ（Ｄｅｄｉｃａｔｅｄ  Ｐｈｙｓｉｃａｌ  Ｄａｔａ  Ｃｈａｎｎｅｌ）の可変シンボルレート伝送を行う場合には、そのＲＭ属性値によって、使用するシンボルレートを変更することができる。
【００５０】
その後、トランスポートチャネル＃１〜＃Ｉ毎にインタリーブした後に（符号１４参照）、それぞれのトランスポートチャネル＃１〜＃Ｉの多重化（Ｍｕｌｔｉｐｌｅｘ）を行い（符号１５参照）、ＤＰＤＣＨの物理チャネルにマッピングし（符号１６参照）、拡散し送信する（符号１７参照）。
【００５１】
ＲＭ属性決定部１２の出力側には、ＴＦＣＩ多重部１８が接続されている。ＴＦＣＩ多重部１８は、ＲＭ属性決定部１２により決定されたＲＭ属性値を入力する。ＴＦＣＩ多重部１８は、どのトランスポートチャネル＃１〜＃ＩがどのＲＭ属性値を使用したかを示す情報を、各フレームでのトランスポートチャネルの多重情報等を示すＴＦＣＩ情報としてＤＰＣＣＨ（Ｄｅｄｉｃａｔｅｄ  Ｐｈｙｓｉｃａｌ  Ｃｏｎｔｏｒｏｌ  Ｃｈａｎｎｅｌ）に多重して、送信データＤＰＣＣＨとして拡散処理部１９に出力する。
【００５２】
ＴＦＣＩ多重部１８には、拡散処理部１９が接続されている。拡散処理部１９は、ＴＦＣＩ多重部１８から入力した送信データＤＰＣＣＨを拡散処理して送信する。
【００５３】
さらに、端末側送受信部１０には、逆拡散処理部２２が設けられている。逆拡散処理部２２は、基地局からの受信信号を逆拡散処理し、受信データＤＰＣＣＨとして、回線品質情報抽出部２１に出力する。
【００５４】
逆拡散処理部２２の出力側には、回線品質情報抽出部２１が接続されている。回線品質情報抽出部２１は、逆拡散処理部２２から入力した受信データＤＰＣＣＨから回線品質情報を抽出し、ＲＭ属性決定部１２に出力する。
【００５５】
次に、図２を参照して、本実施形態のＣＤＭＡシステムの基地局側送受信部３０について説明する。
【００５６】
図２に示すように、端末と送受信を行う基地局の基地局側送受信部３０の受信部には、逆拡散処理部３８が設けられている。逆拡散処理部３８は、端末側送受信部１０の送信部の拡散処理部１９からの送信データＤＰＣＣＨを逆拡散処理して、受信データＤＰＣＣＨを出力する。
【００５７】
逆拡散処理部３８の出力側には、ＴＦＣＩ抽出部３７が接続されている。ＴＦＣＩ抽出部３７は、逆拡散処理部３８から受信データＤＰＣＣＨを入力し、ＤＰＣＣＨのＴＦＣＩ部の情報を復号し出力する。
【００５８】
ＴＦＣＩ抽出部３７の出力側には、ＲＭ属性判定部３６が接続されている。ＲＭ属性判定部３６は、ＴＦＣＩ抽出部３７から復号されたＤＰＣＣＨのＴＦＣＩ部の情報を入力し、送信側で使用したＲＭ属性を判定する。
【００５９】
さらに、逆拡散処理部３８の出力側には、回線品質測定部３９が接続されている。回線品質測定部３９は、逆拡散処理部３８から出力された受信データＤＰＣＣＨを入力し、その受信データＤＰＣＣＨのパイロット（Ｐｉｌｏｔ）部から受信ＳＩＲを測定し、回線品質を示す回線品質情報を得る。
【００６０】
回線品質測定部３９の出力側には、回線品質情報多重部４０が接続されている。回線品質情報多重部４０は、回線品質測定部３９から回線品質情報を入力し、ＤＰＣＣＨに多重して、送信データＤＰＣＣＨとして拡散処理部４３に出力する。
【００６１】
回線品質情報多重部４０には、拡散処理部４３が接続されている。拡散処理部４３は、回線品質情報多重部４０から送信データＤＰＣＣＨを受信し、拡散処理して送信する。拡散処理部４３から送信されたデータは、端末側送受信部１０の逆拡散処理部２２に受信データＤＰＣＣＨとして受信される。
【００６２】
さらに、基地局側送受信部３０の受信部には、逆拡散処理部３１が設けられている。逆拡散処理部３１は、拡散処理部１７から送信される送信データＤＰＤＣＨを受信し拡散コードによって逆拡散処理し、受信データＤＰＤＣＨをデマッピング部（Ｄｅｍａｐｐｉｎｇ）３２に出力する。
【００６３】
逆拡散処理部３１の出力側には、デマッピング部３２が接続されている。デマッピング部３２は、受信データＤＰＤＣＨを入力し、デマッピングを行う。そのデマッピングされたデータは、多重分離部３３に出力される。
【００６４】
デマッピング部３２の出力側には、多重分離（Ｄｅｍｕｌｔｉｐｌｅｘ）部３３が接続されている。多重分離部３３は、入力したデマッピングされたデータをトランスポートチャネル＃１〜＃Ｉ毎に多重分離し、トランスポートチャネル＃１〜＃Ｉ毎のデインタリーブ（Ｄｅｉｎｔｅｒｌｅａｖｅ）部３４−１〜３４−Ｉにそれぞれ出力する。
【００６５】
多重分離部３３には、デインタリーブ部３４−１〜３４−Ｉが接続されている。各デインタリーブ部３４−１〜３４−Ｉは、多重分離部３３から入力したデータについて、それぞれトランスポートチャネル＃１〜＃Ｉ毎に異なったデインタリーブパターンでデインタリーブを行う。すなわち、インタリーブ部１４−１〜１４−Ｉのそれぞれで使用されたインタリーブパターンがデインタリーブパターンとして用いられる。
【００６６】
デインタリーブ部３４−１〜３４−Ｉの出力側には、レートデマッチング（Ｒａｔｅ  Ｄｅｍａｔｃｈｉｎｇ）部３５−１〜３５−Ｉがそれぞれ接続されている。レートデマッチング部３５−１〜３５−Ｉは、デインタリーブ部３４−１〜３４−Ｉからそれぞれ入力したデータについて、それぞれＲＭ属性判定部３６で判定されトランスポートチャネル＃１〜＃Ｉ毎に異なったＲＭ属性（レートデマッチパターン）を使用して、レートデマッチングを行う。レートマッチングがｒｅｐｅｔｉｔｉｏｎの場合には、そのｒｅｐｅｔｉｔｉｏｎされているビットは軟判定合成される。レートデマッチング部３５−１〜３５−Ｉによってレートデマッチングされたデータは、チャネル復号化部４１−１〜４１−Ｉに出力される。
【００６７】
レートデマッチング部３５−１〜３５−Ｉには、チャネル復号化（Ｃｈａｎｎｅｌ  Ｄｅｃｏｄｉｎｇ）部４１−１〜４１−Ｉがそれぞれ接続されている。各チャネル復号化部４１−１〜４１−Ｉは、入力したレートデマッチングされたデータを、畳み込み復号又はターボ（Ｔｕｒｂｏ）復号によりチャネル復号処理を行う。
【００６８】
チャネル復号化部４１−１〜４１−Ｉには、ＣＲＣチェック部４２−１〜４２−Ｉがそれぞれ接続されている。各ＣＲＣチェック部４２−１〜４２−Ｉは、チャネル復号化部４１−１〜４１−Ｉからのデータを入力し、ＣＲＣチェックを行う。ＣＲＣチェック部４２−１〜４２−ＩによってＣＲＣの確認が行われたデータは、トランスポートチャネル毎に伝送路に送出される。
【００６９】
次に、本実施形態の動作を説明する。
【００７０】
端末送信側では、各トランスポートチャネル＃１〜＃Ｉ毎にＣＲＣが付加され（符号８−１〜８−Ｉ）、畳み込み符号またはＴｕｒｂｏ符号等によりチャネル符号化されたデータ（符号９−１〜９−Ｉ）がそれぞれ各トランスポートチャネル＃１〜＃Ｉのレートマッチング部１３−１〜１３−Ｉに入力される。
【００７１】
レートマッチング部１３−１〜１３−Ｉでは、無線区間に伝送できるビット数に調節するため、入力されたデータ列のリピティションまたはパンクチャリングが行われる。
【００７２】
そのレートマッチング部１３−１〜１３−Ｉで使用されるＲＭ属性値は、特定トランスポートチャネル判定部１１によって判定された制御チャネル等の特定のチャネルが多重されているか否かを示す情報と、回線品質情報抽出部２１により抽出された基地局から送信された回線品質を示す回線品質情報に基づいて、ＲＭ属性決定部１２によって決められる。
【００７３】
なお、回線品質情報抽出部２１で検出された回線品質情報は、閉ループ制御することにより適応的に制御することより決められる。
【００７４】
ＲＭ属性決定部１２は、例えば、図３の表に示すテーブルを有している。図３に示すように、そのテーブルでは予め、ＲＭ属性値が、各フレームでのトランスポートチャネルの多重情報等を示すＴＦＣＩに対応付けられている。特に、複数トランスポートチャネルが多重されているＴＦＣＩ＝３、４、５の場合（図３のＴｒＢｋ数の欄参照）、基地局側から送信された回線品質情報により基地局側の受信回線品質が悪いほど、ＲＭ属性の大きいＴＦＣＩを選択して送信する。
【００７５】
即ち、図３の例では、ＲＭ属性決定部１２は、複数トランスポートチャネルが多重されている場合、回線品質情報抽出部２１から受信した回線品質情報に基づいて、基地局側の受信回線品質を３段階で判断し、その３段階のうち受信回線品質が最良レベルである場合には、ＴＦＣＩ＝３のＲＭ属性値：１５０を選択し、そのＲＭ属性値が１５０であることを示すデータをそれぞれのレートマッチング部１３−１〜１３−Ｉに送信する。そのとき、ＲＭ属性決定部１２は、ＴＦＣＩ多重部１８に対してＴＦＣＩが３であることを示すデータを送信する。
同様に、ＲＭ属性決定部１２は、回線品質情報抽出部２１から受信した回線品質情報に基づいて、上記３段階のうち受信回線品質が中レベルである場合には、ＴＦＣＩ＝４のＲＭ属性値：１７０を選択し、そのＲＭ属性値が１７０であることを示すデータをそれぞれのレートマッチング部１３−１〜１３−Ｉに送信する。そのとき、ＲＭ属性決定部１２は、ＴＦＣＩ多重部１８に対してＴＦＣＩが４であることを示すデータを送信する。
同様に、ＲＭ属性決定部１２は、回線品質情報抽出部２１から受信した回線品質情報に基づいて、上記３段階のうち受信回線品質が最悪レベルである場合には、ＴＦＣＩ＝５のＲＭ属性値：２３０を選択し、そのＲＭ属性値が２３０であることを示すデータをそれぞれのレートマッチング部１３−１〜１３−Ｉに送信する。そのとき、ＲＭ属性決定部１２は、ＴＦＣＩ多重部１８に対してＴＦＣＩが５であることを示すデータを送信する。
【００７６】
また、制御チャネル等の特定のトランスポートチャネルの上位レイヤに、制御チャネル等の特定のトランスポートチャネルの再送情報（再送回数を示す情報）を含ませておき、その再送情報を上記回線品質情報と併せて利用することができる。再送回数は回線品質に対応していることから、ＲＭ属性決定部１２は、再送情報に基づいて、制御チャネル等の特定のトランスポートチャネルの再送回数が大きくなるほど、ＲＭ属性値が大きくなるようなＴＦＣＩを選択するように制御する。なお、ＲＭ属性決定部１２は、上記回線品質情報を用いることなく、上記再送情報に基づいて、ＴＦＣＩ（ＲＭ属性値）の選択を行うことも可能である。
【００７７】
また、ＤＰＤＣＨ（図５参照）の可変シンボルレート伝送を行う場合には、ＲＭ属性値によって、使用するシンボルレートを変更することができる。これによって、送信電力は増加するかもしれないが、リピティションのビット数を増やすことができ、受信側で軟判定合成することにより、伝送品質の向上が期待できる。
【００７８】
例えば、フレーム毎に使用するシンボルレート（ＤＰＤＣＨのＮｄａｔａ，ｊのビット数）の決定方法として、一つの物理チャネルを使用する場合は、下記のように求める方法がある。
【００７９】
Ｎｉ，ｊがトランスポートチャネル（ＴｒＣＨ）＃ｉのＴＦＣjに対するレートマッチング前のビット数である。Ｎｄａｔａ，ｊ（ｂｉｔｓ／ｆｒａｍｅ）がＴＦＣjに対する物理チャネル（ＤＰＤＣＨ）に多重できるフレーム当たりのビット数である。ＲＭｉがトランスポートチャネル＃ｉに対するＲＭ属性である。
【００８０】
可変シンボルレート伝送を考慮して、とり得るＳＦ（Ｓｐｒｅａｄｉｎｇ  Ｆａｃｔｏｒ）をＳＥＴ０＝｛Ｎ２５６，Ｎ１２８，Ｎ６４，Ｎ３２，Ｎ１６，Ｎ８，Ｎ４｝（図６参照）とする。
【数１】
0004019733.tif 000002
【００８１】
ＳＥＴ１が負でなく、ＳＥＴ１で最も小さな要素が物理チャネルを１つしか要求しない場合、
Ｎｄａｔａ，ｊ＝ＳＥＴ１で最も小さな値
とする。
【００８２】
ここで
【数２】
0004019733.tif 000003
は、要素ＲＭｙ（１≦ｙ≦Ｉ）の中の最小値を示す。
【００８３】
図３の例では、トランスポートチャネル＃１のＮ１，ｊを１２９ｂｉｔｓ、トランスポートチャネル＃２のＮ２，ｊを１０６２ｂｉｔｓとすると、それぞれのフレームのシンボルレートはＴＦＣＩ＝３で１２０ｋｓｐｓ，ＴＦＣＩ＝４で２４０ｋｓｐｓ，ＴＦＣＩ＝５で２４０ｋｓｐｓとなる。
【００８４】
また、下記のようにトランスポートチャネル毎のレートマッチング前のビット数（Ｎｉ，ｊ）からレートマッチングするビット数（ΔＮｉ，ｊ）を求める方法がある。ΔＮｉ，ｊは、レートマッチング時にリピティションが行われるの場合には、そのリピティションされるビット数であり、パンクチャリングが行われる場合には、そのパンクチャリングされるビット数である。
【００８５】
【数３】
0004019733.tif 000004
【００８６】
図３の例では、トランスポートチャネル＃１のＮ１，ｊを１２９ｂｉｔｓ、トランスポートチャネル＃２のＮ２，ｊを１０６２ｂｉｔｓとすると、トランスポートチャネル＃１のΔＮ１，ｊはＴＦＣＩ＝３で０ｂｉｔｓ，ＴＦＣＩ＝４で１６１ｂｉｔｓ，ＴＦＣＩ＝５で２４７ｂｉｔｓとなり、トランスポートチャネル＃２のΔＮ２，ｊはＴＦＣＩ＝３で９ｂｉｔｓ，ＴＦＣＩ＝４で１０４８ｂｉｔｓ，ＴＦＣＩ＝５で９６２ｂｉｔｓとなる。
【００８７】
レートマッチングのリピティションまたはパンクチャリングの一例をそれぞれ図４(ａ),(ｂ)に示す。
【００８８】
図４（ａ），（ｂ）は、端末側送受信部１０によるレートマッチングおよび基地局側送受信部３０によるレートデマッチングを説明する図である。
【００８９】
図４（ａ），（ｂ）に示すように、端末側送受信部１０のレートマッチング、基地局側送受信部３０のレートデマッチングにより、可変の符号化率の実現が可能になる。
図４(ａ)は、６ビットから８ビットへのリピティションの例である。
分配されたレートマッチング部への入力データに対して、ビット１と３がリピティションされている。
【００９０】
図４(ｂ)は、１０ビットから８ビットへのパンクチャリングの例である。
分配されたレートマッチング部への入力データに対して、ビット１と５がパンクチャリングされている。
【００９１】
以上のようにリピティション数が多いほど、同じデータを複数ビット送信することとなり、受信側で軟判定合成することにより、伝送品質を向上できる。
【００９２】
レートマッチング部１３−１〜１３−Ｉにてレートマッチングされたトランスポートチャネル＃１〜＃Ｉのデータ列は、インタリーブ部１４−１〜１４−Ｉに入力されてインタリーブされた後、それぞれのトランスポートチャネル＃１〜＃Ｉが多重化される（符号１５参照）。
【００９３】
その後、マッピング部１６にて、図５に示すようなフォーマットにＤＰＤＣＨとして物理チャネルにマッピングした後、それぞれのデータ列に対して拡散処理部１７で異なる拡散符号で拡散され送信される。
【００９４】
基地局受信側では、符号３１および３８に示すように、ＤＰＣＣＨとＤＰＤＣＨがそれぞれの拡散符号によって逆拡散処理部で逆拡散された後、ＴＦＣＩ抽出部３７で受信されたＤＰＣＣＨ部のＴＦＣＩを復号し、そのＴＦＣＩに基づいてＲＭ属性判定部１２は、そのフレームで使用されているＲＭ属性値を判定する。
【００９５】
符号３２に示すように、ＤＰＤＣＨの物理チャネルからデマッピング後、トランスポートチャネル毎に多重分離された後（符号３３参照）、それぞれのトランスポートチャネル毎にデインタリーブされる（符号３４−１〜３４−Ｉ参照）。その後、ＲＭ属性判定部３６は、ＴＦＣＩ抽出部３７で受信されたＴＦＣＩを判定し、そのＴＦＣＩに基づいて、それぞれのトランスポートチャネルのＲＭ属性を求め、そのＲＭ属性を使用してレートデマッチングされる（符号３５−１〜３５−Ｉ）。
【００９６】
レートデマッチングのリピティションまたはパンクチャリングの一例をそれぞれ図４（ａ）,（ｂ）に示す。
【００９７】
図４（ａ）は、６ビットから８ビットへのリピティションの例である。
分配されたレートデマッチング部３５−１〜３５−Ｉへの入力データに対して、送信側でリピティションされたビット１と３が削除されている。
【００９８】
図４（ｂ）は、１０ビットから８ビットへのパンクチャリングの例である。
分配されたレートマッチング部への入力データに対して、送信側でパンクチャリングされたビット１と５が挿入されるが不定（Ｄで示されている）となる。
【００９９】
送信側で、回線品質によって制御チャネル等の特定トランスポートチャネルのＲＭ属性が大きくなる（回線品質が悪いほどＲＭ属性が大きくなる）ように制御されているため、レートマッチングでリピティションとなる可能性が高く、そのリピティションされたビットを軟判定合成することにより、制御チャネル等の特定トランスポートチャネルの伝送品質を向上できる。
【０１００】
その軟判定合成後のデータは、畳み込み復号またはＴｕｒｂｏ復号によってチャネル復号され、ＣＲＣチェックされる。
【０１０１】
また、端末送信側でＲＭ属性を決定するための閉ループ制御を行うために以下の動作が行われる。基地局側の回線品質測定部３９で受信ＤＰＣＣＨのＰｉｌｏｔ部から受信ＳＩＲを測定し、その測定結果を示す情報を回線品質情報多重部４０がビット変換してＤＰＣＣＨ部に多重し、拡散処理部４３で拡散し端末に対して送信する。
【０１０２】
図５は、端末側送受信部１０と基地局側送受信部３０間で送受信される無線フレーム構成例を説明する図である。
【０１０３】
図５に示すように、無線フレームは、周期Ｔｓｕｐｅｒ＝２５６０ｍｓのスーパフレームであり、それぞれが周期Ｔｆ＝１０ｍｓであるフレーム＃０〜フレーム＃２５５によって構成される。
【０１０４】
さらに、各フレームは、それぞれが周期Ｔｓ＝０．６６６ｍｓであるスロット＃０〜スロット＃１４によって構成される。
【０１０５】
各スロットは、ＤＰＤＣＨ＃０〜ＤＰＤＣＨ＃Ｉ、ＤＰＣＣＨで構成される。各ＤＰＤＣＨは、Ｎｄａｔａビットのデータで構成され、分配された同一データの送受信に使用される。
ＤＰＣＣＨはＮｐｉｌｏｔビットのＰｉｌｏｔ、ＮＴＦＣＩビットのＴＦＣＩで構成され、決定したＲＭ属性、回線品質の情報の送受信に使用される。
【０１０６】
以上の説明では、端末を送信側、基地局を受信側としたが、この逆に、端末を受信側、基地局を送信側としてもよい。
【０１０７】
上記のように、本実施形態では、レートマッチングにおいて、ＴＴＩ毎に異なるＲＭ属性を各トランスポートチャネルで使用することによってレートマッチングを行っている。つまり、制御チャネル等の特定チャネルで再送が起こり難くするためには、伝送品質を向上させる必要がある。そのために回線品質によって、ＴＴＩ毎に制御チャネル等の特定トランスポートチャネルのＲＭ属性値を他のトランスポートチャネルのＲＭ属性値より大きくする（図３参照）。これにより、制御チャネル等の特定トランスポートチャネルのレートマッチングでリピティションの量が大きくなり、伝送品質を向上できる。
【０１０８】
また、制御チャネル等のトランスポートチャネルの上位レイヤに制御チャネル等のトランスポートチャネルの再送情報を含ませておき、その再送情報を考慮して各トランスポートチャネルのＲＭ属性値を決定することにより、再送時の伝送品質を向上できる。
【０１０９】
そのＲＭ属性値をＴＴＩ毎に決定するために、基地局の受信回線品質を示す回線品質情報を基地局側から送信することによって閉ループ制御し、端末側でその情報を利用している。
【０１１０】
【発明の効果】
本発明のＣＤＭＡにおけるレートマッチング方法によれば、制御チャネル等の特定チャネルの伝送品質を向上させることができる。
【図面の簡単な説明】
【図１】図１は、本発明のＣＤＭＡにおけるレートマッチング方法の一実施形態に係る端末側送受信部の概略構成を示すブロック図である。
【図２】図２は、本発明のＣＤＭＡにおけるレートマッチング方法の一実施形態に係る基地局側送受信部の概略構成を示すブロック図である。
【図３】図３は、本発明のＣＤＭＡにおけるレートマッチング方法の一実施形態に係るＴＦＣＩとＲＭ  ａｔｔｒｉｂｕｔｅとの関係を示す図である。
【図４】図４は、本発明のＣＤＭＡにおけるレートマッチング方法の一実施形態に係る端末側送受信部のレートマッチング、基地局側送受信部のレートデマッチングを説明するための図である。
【図５】図５は、本発明のＣＤＭＡにおけるレートマッチング方法の一実施形態に係る端末側送受信部と基地局側送受信部間で送受信される無線フレーム構成例を示す図である。
【図６】図６は、本発明のＣＤＭＡにおけるレートマッチング方法の一実施形態に係るシンボルレートを説明するための図である。
【符号の説明】
８  ＣＲＣ付加部
９  チャネル符号化部
１０  端末側送受信部
１１  特定トランスポートチャネル判定部
１２  ＲＭ属性決定部
１３  レートマッチング部
１４  インタリーブ部
１５  トランスポートチャネル多重化部
１６  マッピング部
１７  拡散処理部
１８  ＴＦＣＩ多重部
１９  拡散処理部
２１  回線品質情報抽出部
２２  逆拡散処理部
３０  基地局側送受信部
３１  逆拡散処理部
３２  デマッピング部
３３  多重分離部
３４  デインタリーブ部
３５  レートデマッチング部
３６  ＲＭ属性判定部
３７  ＴＦＣＩ抽出部
３８  逆拡散処理部
３９  回線品質測定部
４０  回線品質情報多重部
４１  チャネル復号化部
４２  ＣＲＣチェック部
４３  拡散処理部
【図１】
0004019733.tif 000005
【図２】
0004019733.tif 000006
【図３】
0004019733.tif 000007
【図４】
0004019733.tif 000008
【図５】
0004019733.tif 000009
【図６】
0004019733.tif 000010